(57)【要約】【課題】  記録した静止画像を再生するに際し、動画像の撮影記録中に撮影した静止画像と動画像の撮影記録の停止中に撮影した静止画像とを容易に区別することができるようにする。【解決手段】  ＬＣＤパネル１６０４の画面に、撮影記録した静止画の一覧としてサムネイル画像５０１〜５０６を表示するに際し、動画撮影中に撮影された静止画に対応するサムネイル画像５０１、５０３、５０５の左下の部分に"Ｍ"のマーク５１０、５１１、５１２を付すことにより、ユーザーは、サムネイル画像５０１〜５０６の一覧を見てこれらの静止画が動画撮影中に撮影された静止画であるか否かを一目で判別することが出来るようにする。【選択図】  図５
2006173908.tif 000002
【特許請求の範囲】
【請求項１】
撮像手段と、
前記撮像手段により撮像された動画像を記録媒体に記録する動画像記録手段と、
前記撮像手段により撮像された静止画像を記録媒体に記録する静止画像記録手段と、
前記撮像手段により動画像が撮像されている最中に、前記撮像手段により撮像されて前記記録媒体に記録された静止画像に基づく第１の静止画像データと、前記撮像手段により動画像が撮像されていないときに、前記撮像手段により撮像されて前記記録媒体に記録された静止画像に基づく第２の静止画像データとを区別して表示装置に表示する表示手段とを有することを特徴とする記録再生装置。
【請求項２】
前記静止画像記録手段は、前記撮像手段により動画像が撮像されている最中に、前記撮像手段により撮像されて前記記録媒体に記録された静止画像と、前記撮像手段により動画像が撮像されていないときに、前記撮像手段により撮像されて前記記録媒体に記録された静止画像とを区別して記録媒体に記録することを特徴とする請求項１に記載の記録再生装置。
【請求項３】
前記表示手段は、前記第１の静止画像データと、前記第２の静止画像データとを分けて表示装置に一覧表示することを特徴とする請求項１又は２に記載の記録再生装置。
【請求項４】
前記撮像手段により動画像が撮像されている最中に、前記撮像手段により撮像された静止画像のファイルヘッダと、前記撮像手段により動画像が撮像されていないときに、前記撮像手段により撮像された静止画像のファイルヘッダとの少なくとも何れか一方に、前記動画像の撮像中に撮像された静止画像と、前記動画像の撮像が行われていないときに撮像された静止画像とを区別するための識別情報を付加する識別情報付加手段を有することを特徴とする請求項１〜３の何れか１項に記載の記録再生装置。
【請求項５】
前記撮像手段により撮像された静止画像に基づくサムネイル画像データを生成するサムネイル画像生成手段と、
前記撮像手段により動画像が撮像されている最中に、前記撮像手段により撮像された静止画像に基づく第１のサムネイル画像データと、前記撮像手段により動画像が撮像されていないときに、前記撮像手段により撮像された静止画像に基づく第２のサムネイル画像データとの少なくとも何れか一方に、前記動画像の撮像中に撮像された静止画像と、前記動画像の撮像が行われていないときに撮像された静止像とを区別するための識別情報を付加する識別情報付加手段とを有することを特徴とする請求項１〜３の何れか１項に記載の記録再生装置。
【請求項６】
前記撮像手段により撮像された静止画像に基づくプレビュー画像データを生成するプレビュー画像生成手段と、
前記撮像手段により動画像が撮像されている最中に、前記撮像手段により撮像された静止画像に基づく第１のプレビュー画像データと、前記撮像手段により動画像が撮像されていないときに、前記撮像手段により撮像された静止画像に基づく第２のプレビュー画像データとの少なくとも何れか一方に、前記動画像の撮像中に撮像された静止画像と、前記動画像の撮像が行われていないときに撮像された静止像とを区別するための識別情報を付加する識別情報付加手段とを有することを特徴とする請求項１〜３の何れか１項に記載の記録再生装置。
【請求項７】
前記撮像手段により動画像が撮像されている最中に、前記撮像手段により撮像された静止画像のファイル名と、前記撮像手段により動画像が撮像されていないときに、前記撮像手段により撮像された静止画像のファイル名との少なくとも何れか一方に、前記動画像の撮像中に撮像された静止画像と、前記動画像の撮像が行われていないときに撮像された静止像とを区別するための文字を配置する配置手段を有することを特徴とする請求項１〜３の何れか１項に記載の記録再生装置。
【請求項８】
前記静止画像記録手段は、前記撮像手段により動画像が撮像されている最中に、前記撮像手段により撮像された静止画像と、前記撮像手段により動画像が撮像されていないときに、前記撮像手段により撮像された静止画像とを別々のディレクトリ又はフォルダに格納することを特徴とする請求項１〜７の何れか１項に記載の記録再生装置。
【請求項９】
撮像された動画像を記録媒体に記録する動画像記録ステップと、
撮像された静止画像を記録媒体に記録する静止画像記録ステップと、
前記動画像が撮像されている最中に撮像されて前記記録媒体に記録された静止画像に基づく第１の静止画像データと、前記動画像が撮像されていないときに撮像されて前記記録媒体に記録された静止画像に基づく第２の静止画像データとを区別して表示装置に表示する表示ステップとを有することを特徴とする記録再生方法。
【請求項１０】
撮像された動画像を記録媒体に記録する動画像記録ステップと、
撮像された静止画像を記録媒体に記録する静止画像記録ステップと、
前記動画像が撮像されている最中に撮像されて前記記録媒体に記録された静止画像に基づく第１の静止画像データと、前記動画像が撮像されていないときに撮像されて前記記録媒体に記録された静止画像に基づく第２の静止画像データとを区別して表示装置に表示する表示ステップとをコンピュータに実行させることを特徴とするコンピュータプログラム。
【発明の詳細な説明】
【技術分野】
【０００１】
本発明は、記録再生装置、記録再生方法、及びコンピュータプログラムに関し、特に、動画像と静止画像とを同時に撮影して記録するために用いて好適なものである。
【背景技術】
【０００２】
従来より、動画像の撮影記録を中断する事なく、静止画の撮影記録が出来るビデオカメラがある。図１６にビデオカメラの外観構成の一例を示す。ファインダー１６０１の下に動画撮影記録用のトリガボタン１６０２と電源スイッチ１６０５が設けられ、上部に静止画撮影記録用のシャッターボタン１６０３が設けられている。また、ファインダー１６０１の他にＬＣＤ表示パネル１６０４が設けられている。また、内側部には、記録した動画や静止画の再生を指示するための再生制御ボタン１６０６が設けられている。
【０００３】
ビデオカメラの内部構成の一例を図１４に示す。レンズ１４０１を通してＣＣＤ１４０２で撮像された画像信号は、Ａ／Ｄ１４０３でデジタルデータとされカメラ処理部１４０４で輝度や色の補正等が行われる。カメラ処理部１４０４から出力されたデータは、動画エンコード・デコード処理部（画像処理部）１４０５で動画像データのエンコード処理が行われ、記録再生制御部（ＲＥＣ／ＰＢ）１４０６によって記録媒体１４０７に記録される。ここで、エンコード方法は例えばＭＰＥＧ２等である。記録媒体１４０７は例えば磁気テープやディスクである。またエンコードした動画データを、デジタルインターフェース（Ｉ／Ｆ）１４１５を通して外部に出力する事も出来る。
【０００４】
デジタルインターフェース１４１５は、IEEE1394やＵＳＢ（Universal Serial Bus）である。動画エンコード・デコード処理部１４０５でエンコードされる前のデータは表示部１４０８（例えばＬＣＤ表示パネル１６０４）へも送られる。ユーザーは、表示部１４０８に表示された画像を見ながら撮影画角や構図を決める。ＣＰＵ１４０９は各処理ブロックの制御を司っている。またＣＰＵ１４０９には動画撮影用のトリガボタン１６０２及び静止画撮影用のシャッターボタン１６０３が設けられている。ユーザーは、動画撮影用のトリガボタン１６０２を押す事で動画撮影記録の開始・停止を行う。この動画撮影用のトリガボタン１６０２は撮影記録中押し続けている必要は無く、一度押すと記録動作が開始され、もう一度押すと記録動作が停止する。
【０００５】
また、ユーザーは、静止画撮影用のシャッターボタン１６０３を押す事によって撮影した静止画をメモリカード１４１２に記録する事が出来る。カメラ処理部１４０４から出力されたデータは、動画エンコード・デコード処理部１４０５と共に静止画エンコード・デコード処理部１４１３にも入力される。静止画エンコード・デコード処理部１４１３では静止画データのエンコード処理やサムネイルの生成が行われる。エンコード方法は例えばＪＰＥＧ等である。
【０００６】
エンコードされた静止画データはカード制御部１４１４によってメモリカード１４１２に記録される。再生時は記録された静止画データがカード制御部１４１４によってメモリカード１４１２から読み出され、静止画エンコード・デコード処理１４１３でサムネイル画像のデコードや本画像のデコードが行われる。サムネイル画像をデコードするか本画像をデコードするかはＣＰＵ１４０９によって指示される。また、エンコードした静止画データを、デジタルインターフェース１４１５を通して外部に出力する事も出来る。デジタルインターフェースはIEEE1394やＵＳＢである。
【０００７】
ユーザーが動画撮影用のトリガボタン１６０２を押して動画撮影記録を開始した後、動画撮影記録中に好みのシーンで静止画の撮影も行いたいと思ったら、動画撮影記録を停止する事無く静止画撮影用のシャッターボタン１６０３を押して撮影した静止画データをメモリカード１４１２に記録することが出来る。なお、動画撮影記録中に静止画撮影が可能な従来のビデオカメラについては、例えば特許文献１に開示されている。
【０００８】
動画像撮影を行って記録された動画データと静止画撮影を行って記録された静止画データとの関係を、図１５を用いて説明する。図１５は、カメラ処理部１４０４から出力される画像データのフレームの並びを示す。例えばＮＴＳＣ規格の動画像の撮影の場合、各フレームの間隔１５０１は約１／３０秒となる。ここで例えば時刻１５０２のタイミングでユーザーが静止画撮影用のシャッターボタン１６０３を押したとすると、時刻１５０２にもっとも近いフレームの画像データ１５０３が動画エンコード・デコード処理部１４０５の他に静止画エンコード・デコード処理部１４１３にも送られる。
【０００９】
その後、前述した処理により画像データ１５０３をエンコードした静止画データがメモリカード１４１２に記録される。記録された静止画データを確認する場合の一例を図１７に示す。図１７は、図１６に示したビデオカメラで静止画データを確認する場合にＬＣＤパネル１６０４に表示される内容の一例を示す。
ＬＣＤパネル１６０４の画面には、撮影記録した静止画の一覧としてサムネイル画像１７０１〜１７０６が表示されている。その内の１つには選択枠１７０７が表示されている。ユーザーは、再生制御ボタン１６０６を操作して選択枠１７０７を動かす事によってサムネイル画像の中から１つを選択する。
【００１０】
例えばサムネイル画像１７０１を選択すると、サムネイル画像１７０１の本画像１７０９が画面いっぱいに表示される。ユーザーは確認した静止画を、デジタルインターフェース１４１５を通して外部機器であるプリンターに出力して印刷したり、ＰＣ（Personal Computer）に送って加工したりする等の楽しみ方をする。
【００１１】
図１８は、ＬＣＤパネル１６０４に一覧表示されたファイル名のリストの一例を示す。図１８では、静止画６画像分のファイル名１８０１〜１８０６が表示されている。その内の１つには選択枠１８０７が表示されている。ユーザーは再生制御ボタン１６０６を操作して選択枠１８０７を動かす事によってファイル名の中から１つを選択する。例えばファイル名１８０１を選択すると、ファイル名１８０１に対応した静止画像１８０９が画面いっぱいに表示される。
【００１２】
図１９は、メモリカード１４１２に記録されている、一覧表示するファイルのディレクトリーツリーの一例を示す。静止画データが記録される領域の親ディレクトリは一番左の「ＤＣＩＭ」という名前のディレクトリ１９０１である。このディレクトリ１９０１の中に、サブディレクトリとして「100ABCD」というディレクトリ１９０２がある。そして、このディレクトリ１９０２の中に個々の静止画ファイル１９０３がある。ファイルの選択方法は、図１８を用いて説明したのと同様である。またサブディレクトリ１９０２も名前を変えて複数持つ事が出来る。
以上の様に構成する事で、動画像の撮影記録中に撮影記録した静止画像と、動画像の撮影停止中に撮影記録した静止画像とを一覧表示したり、それら一覧表示した静止画像の内の１つを選択して画面いっぱいに表示したり、外部機器へ出力したりする事が出来る。
【００１３】
【特許文献１】特開平１１−３０８４８８号公報
【発明の開示】
【発明が解決しようとする課題】
【００１４】
ところで、カメラを構えたユーザーが動いたり、パン、チルトやズームなどの操作を伴ったりして行われる動画撮影では、ユーザーは、動画としてのシーンの流れや構図を気にしながら撮影している。ところが、例えばパンニング中に静止画も同時撮影する場合ではどうしても不自然なパンニング停止期間が生じたり、シャッターボタンに指をかける時の手ぶれが生じたりする可能性がある。そうすると、ユーザーは動画としての被写体への追従や前記手ぶれの防止等に気を取られて、この動画と同時に撮影する静止画の構図やシャッタータイミングに集中することが出来ない。
【００１５】
このため、ユーザーの使い方としても動画像の撮影記録中に行う静止画の撮影は念のために行うとか、とりあえず静止画も撮影しておくというというもので、あくまで動画に重点をおいた撮影になり、動画像の撮影記録の停止中に行う静止画撮影は静止画としての作画に集中した撮影になる。よって同じ静止画像であるが動画像の撮影記録中に撮影した静止画と動画像の撮影記録の停止中に撮影した静止画との間にはおのずと品位の違いが生じる。そこで、動画像の撮影記録中に撮影した静止画像と動画像の撮影記録の停止中に撮影した静止画像とは区別して扱いたいという要求があった。しかしながら、従来の構成ではそれが簡単に行えないという課題があった。
【００１６】
本発明は、前述の問題点に鑑みてなされたものであり、記録した静止画像を再生するに際し、動画像の撮影記録中に撮影した静止画像と動画像の撮影記録の停止中に撮影した静止画像とを容易に区別することができるようにすることを目的とする。
【課題を解決するための手段】
【００１７】
本発明の記録再生装置は、撮像手段と、前記撮像手段により撮像された動画像を記録媒体に記録する動画像記録手段と、前記撮像手段により撮像された静止画像を記録媒体に記録する静止画像記録手段と、前記撮像手段により動画像が撮像されている最中に、前記撮像手段により撮像されて前記記録媒体に記録された静止画像に基づく第１の静止画像データと、前記撮像手段により動画像が撮像されていないときに、前記撮像手段により撮像されて前記記録媒体に記録された静止画像に基づく第２の静止画像データとを区別して表示装置に表示する表示手段とを有する。
【００１８】
本発明の記録再生方法は、撮像された動画像を記録媒体に記録する動画像記録ステップと、撮像された静止画像を記録媒体に記録する静止画像記録ステップと、前記動画像が撮像されている最中に撮像されて前記記録媒体に記録された静止画像に基づく第１の静止画像データと、前記動画像が撮像されていないときに撮像されて前記記録媒体に記録された静止画像に基づく第２の静止画像データとを区別して表示装置に表示する表示ステップとを有することを特徴とする。
【００１９】
本発明のコンピュータプログラムは、撮像された動画像を記録媒体に記録する動画像記録ステップと、撮像された静止画像を記録媒体に記録する静止画像記録ステップと、前記動画像が撮像されている最中に撮像されて前記記録媒体に記録された静止画像に基づく第１の静止画像データと、前記動画像が撮像されていないときに撮像されて前記記録媒体に記録された静止画像に基づく第２の静止画像データとを区別して表示装置に表示する表示ステップとをコンピュータに実行させることを特徴とする。
【発明の効果】
【００２０】
本発明によれば、動画像の撮影記録中に撮影した静止画像と、動画像の撮影記録の停止中に撮影した静止画像とを再生時に簡単に区別する事が出来る。
【発明を実施するための最良の形態】
【００２１】
次に、図面を参照しながら、本発明の実施形態について説明する。
（第１の実施形態）
まず、本発明の第１の実施形態について説明する。本実施形態のビデオカメラの構成の一例を図１に示す。図１に示す本実施形態のビデオカメラでは、従来例として図１４に示したビデオカメラに対して動画記録中静止画シャッター検出部１１６が付加されている。なお、図１において、図１４と同じものについては、図１４に付した符号と同一の符号を付して詳細な説明を省略する。
動画記録中静止画シャッター検出部１１６では、静止画撮影用のシャッターボタン１４１１を押した時にそれが動画撮影記録中の静止画撮影記録なのか、静止画単独撮影記録なのかを検出してＣＰＵ１４０９に信号を出力する。
【００２２】
動画記録中静止画シャッター検出部１１６の構成の一例を図２に示す。図２は、フリップフロップを用いて構成した動画記録中静止画シャッター検出部１１６の一例を示す図である。
フリップフロップ２０１のクロック入力部には、動画撮影用のトリガボタン１４１０からの動画トリガ信号２０２が入力される。また、正論理出力２０３は、ＡＮＤゲート２０４に入力される。負論理出力２０５は、データ入力２０６に入力される。静止画撮影用のシャッターボタン１４１１からの静止画トリガ信号２０７はＡＮＤゲート２０４に入力されている。動画トリガ信号２０２、静止画トリガ信号２０７及びＡＮＤゲート２０４の出力信号は、図１に示したＣＰＵ１０９に入力されている。
【００２３】
ここで、動画トリガ信号２０２、静止画トリガ信号２０７及びＡＮＤゲート２０４の出力信号の関係を図３に示す。図３は、各信号（動画トリガ信号２０２、静止画トリガ信号２０７及びＡＮＤゲート２０４の出力信号）の変化の様子の一例を示す図である。
図３において、波形３０１は、図２に示した動画トリガ信号２０２、波形３０２は、図２に示した静止画トリガ信号２０７、波形３０５は、図２に示したＡＮＤゲート２０４の出力信号を表す。
【００２４】
ユーザーが、時刻３０３の時点で動画撮影用のトリガボタン１１０を押すと、動画トリガ信号２０２のレベルが"Ｌ"から"Ｈ"に変化する。更にユーザーが時刻３０４の時点で動画撮影用のトリガボタン１６０２を押すと信号のレベルが"Ｈ"から"Ｌ"に変化する。この動画トリガ信号２０２のレベルが"Ｈ"の期間が動画撮影記録中に相当する。また、ユーザーは、時刻３０６と時刻３０７の時点で静止画撮影用のシャッターボタン１６０３を押すと静止画トリガ信号２０７は、波形３０２の様にレベルが変化する。時刻３０６での波形３０２の変化は、動画の撮影中に静止画を撮影したことを表し、時刻３０７での波形３０２の変化は、静止画を単独で記録する場合において静止画を撮影したことを表す。図２に示したＡＮＤゲート２０４の出力信号の変化は、波形３０５のようになる。この波形３０５では、動画の撮影中に静止画を撮影したことを表す波形のみを抜き出して示している。
【００２５】
このように、波形３０２、３０５によって、図１に示したＣＰＵ１４０９は、静止画撮影が動画撮影中に行われたものなのか静止画単独の撮影なのかを知ることが出来る。以上の構成はＣＰＵのソフトウェア処理で実現しても良い。この場合、ＣＰＵ１４０９は、静止画エンコード・デコード処理部１４１３にエンコード処理を指示する時に、前述した処理で得られた静止画が動画撮影中のものかどうかの情報も同時に与える。静止画エンコード・デコード処理部１４１３は、ＣＰＵ１４０９からエンコード処理の指示を受けた時に、動画撮影中に記録された静止画であるかどうかの情報も受け取る。
【００２６】
ここで、もしエンコード指示を受けた静止画が動画撮影中に撮影された静止画であった場合、静止画エンコード・デコード処理部１４１３は、作成するサムネイル画像にマークを付ける。その後、カード制御部１４１４は、ＪＰＥＧにエンコードした本体画像データと合わせてサムネイル画像をＥＸＩＦファイルとしてメモリカード１４１２に記録させる。サムネイル画像に付すマークについて、図４を用いて説明する。図４に示すように、例えば160×120画素のサムネイル画像のデータ４０１の左下の部分４０２を、例えば"Ｍ"の文字になる様に書き換える。その後、ＪＰＥＧエンコードを施して本体画像のＪＰＥＧデータと共にＥＸＩＦファイルとする。
【００２７】
次に、このように記録されたサムネイル画像の一覧を、ビデオカメラのＬＣＤパネル１６０４に表示する場合の表示例を図５に示す。ＬＣＤパネル１６０４の画面には撮影記録した静止画の一覧としてサムネイル画像５０１〜５０６が表示されている。その内の１つには選択枠５０７が表示されている。ユーザーは、再生制御ボタン１６０６を操作して選択枠５０７を動かす事によってサムネイル画像５０１〜５０６の中から１つを選択する。例えば、サムネイル画像５０１を選択するとサムネイル画像５０１の本画像５０９が画面いっぱいに表示される。また、サムネイル画像５０１、５０３、５０５の左下の部分には前述したサムネイル画像の一部書き換えによる"Ｍ"のマーク５１０、５１１、５１２が付いている。
【００２８】
以上の様に構成する事によってユーザーはサムネイル画像５０１〜５０６の一覧を見てこれらの静止画が動画撮影中に撮影された静止画であるか否かを一目で判別することが出来る。サムネイル画像へのマークの絵柄や方法は前述したものに限定するものでは無い。また表示は本体のＬＣＤパネルに限らず、ＴＶやＰＣのディスプレイでも良い。
【００２９】
（第２の実施形態）
次に、本発明の第２の実施形態について説明する。本実施形態は、動画撮影中に撮影した静止画と静止画単独で撮影した静止画とをユーザーに区別させる方法が前述した第１の実施形態と異なるだけであり、その他の部分については、第１の実施形態と同じである。したがって、第１の実施形態と同一の部分については、図１〜図５に付した符号と同一の符号を付すなどして詳細な説明を省略する。
【００３０】
図６は、本実施形態におけるビデオカメラのＬＣＤパネル１６０４の表示例を示す。ＬＣＤパネル１６０４の画面には撮影記録した静止画の一覧としてサムネイル画像６０１〜６０６が表示されている。その内の１つには選択枠６０７が表示されている。ユーザーは再生制御ボタン１６０６を操作して選択枠６０７を動かす事によってサムネイル画像６０１〜６０６の中から１つを選択する。例えば、サムネイル画像６０１を選択するとサムネイル画像６０１の本画像６０９が画面いっぱいに表示される。
【００３１】
ここで、例えばサムネイル画像６０１が示す静止画データが動画撮影中に撮影した静止画であるとする。ユーザーが選択枠６０７でサムネイル画像６０１を選択して本画像６０９を画面いっぱいに表示させると、画面の左下に"Ｍ"のマーク６１０がオーバーラップされる。つまり、本実施形態ではサムネイル画像を選択してフル画面表示にしたときに、動画撮影中に撮影した静止画と静止画単独で撮影した静止画とを区別出来る様に構成する。"Ｍ"の表示は画像の外側に表示する様に構成しても良いし、文字列やアイコンの様なイメージでも良い。
【００３２】
次に、本実施形態を実現する構成と動作を説明する。図７は、本実施形態のビデオカメラの構成の一例を示す。図７に示す本実施形態のビデオカメラでは、従来の構成（図１４を参照）に対して、画像データにマークをオーバーラップするための画像ＭＩＸ部７１７と、マークを生成するキャラクタジェネレータ７１８とが付加されている。なお、図７において、図１と同じものについては、図１に付した符号と同一の符号を付して詳細な説明を省略する。
【００３３】
前述した第１の実施形態で述べた様に、ＣＰＵ１４０９が動画撮影記録中に撮影された静止画である事を検出すると、ＣＰＵ１４０９は、画像ＭＩＸ部７１７に対し、静止画エンコード・デコード処理部１４１３から出力された本画像と、キャラクタジェネレータ７１８から出力されたキャラクタ画像との合成を指示する。合成された画像データは、表示部１４０８で表示される。
【００３４】
以上の様に構成する事によってユーザーは画面いっぱいに表示したプレビュー画像を見て、動画撮影中に撮影された静止画か静止画単独撮影で撮影された静止画かを容易に判別することが出来る。なお、マークの絵柄や表示方法は前述したものに限定するものでは無い。
【００３５】
（第３の実施形態）
次に、本発明の第３の実施形態について説明する。本実施形態も、動画撮影中に撮影した静止画と静止画単独で撮影した静止画とをユーザーに区別させる方法が前述した第１及び第２の実施形態と異なるだけであり、その他の部分については、第１及び第２の実施形態と同じである。したがって、第１及び第２の実施形態と同一の部分については、図１〜図７に付した符号と同一の符号を付すなどして詳細な説明を省略する。
【００３６】
図８は、本実施形態におけるビデオカメラのＬＣＤパネル１６０４の表示例を示す。ＬＣＤパネル１６０４の画面には撮影記録した静止画の一覧としてファイル名８０１〜８０６が表示されている。その内の１つには選択枠８０７が表示されている。ユーザーは再生制御ボタン１６０６を操作して選択枠８０７を動かす事によってファイル名８０１〜８０６の中から１つを選択する。例えば、ファイル名８０１を選択するとファイル名８０１の本画像８０９が画面いっぱいに表示される。なお、本実施形態のビデオカメラの構成は図１と同様である。
【００３７】
図９は、本実施形態のＬＣＤパネル１６０４の画面に表示されるファイル名の一例を示す。図９（ａ）において、ファイル名の頭の文字９０１は、動画撮影中に撮影した静止画と静止画単独で撮影した静止画とを区別するもので"Ｓ"であれば静止画単独撮影で撮影した静止画である事を表し、"Ｍ"であれば動画撮影中に撮影した静止画である事を表す。文字列９０２の部分は、任意に設定される文字列であり、装置がデフォルトで設定する文字列やユーザーが設定する文字列である。文字列９０３の部分は、撮影順にふられる通し番号である。文字列９０４は拡張子である。
【００３８】
静止画エンコード・デコード処理部１４１３は、ＣＰＵ１４０９から指定されたファイル名でＥＸＩＦファイルを作成し、作成したＥＸＩＦファイルを、カード制御１４１４を通してメモリカード１４１２に書き込む。具体的に本実施形態のファイル名１００１は、図９（ｂ）に示すように、文字フィールド１００２、１００３と、数字フィールド１００４と、拡張子フィールド１００５とを含んで構成される。
【００３９】
図１０は、本実施形態のビデオカメラで記録処理を行う際のＣＰＵ１４０９の動作の一例を説明するフローチャートである。
まず、ステップＳ１００１で、文字フィールド１００３に初期文字列が入力される。この初期文字列は予め設定してある文字列であっても、ユーザーが指定した文字列でも良い。
【００４０】
次に、ステップＳ１００２で、静止画撮影用のシャッターボタン１６０３が押されたかどうかを検出する。静止画撮影用のシャッターボタン１６０３が押されたら、ステップＳ１００３に進み、前記静止画撮影が動画撮影記録中の静止画撮影記録なのか、静止画単独撮影記録なのかを検出する。検出方法は、第１の実施形態で述べた通りである。動画撮影記録中の静止画撮影記録であれば、ステップＳ１００４に進み、文字フィールド１００２に"Ｍ"を入力する。一方、静止画単独撮影記録であれば、ステップＳ１００５に進み、文字フィールド１００２に"Ｓ"を入力する。
【００４１】
以上のようにして文字フィールド１００２に"Ｍ"又は"Ｓ"を入力すると、ステップＳ１００６に進み、変数ｎをインクリメントする。次に、ステップＳ１００７で、変数ｎが９９９９を超えていないかどうかを判断する。この判断の結果、変数ｎが９９９９を超えていた場合には、ステップＳ１００８に進み、表示部１４０８にエラー表示を指示する。このエラー表示は、例えば"書き込みエラー"等である。一方、変数ｎが９９９９を超えていなければ、ステップＳ１００９に進み、変数ｎを文字変数として数字フィールド１００４に入力する。
【００４２】
次に、ステップＳ１０１０で、拡張子フィールド１００５にエンコード方法に応じた拡張子を設定し、文字フィールド１００２、１００３と、数字フィールド１００４と、拡張子フィールド１００５とを合わせてファイル名に設定する。本実施形態における拡張子は"ＪＰＧ"とする。そして、ステップＳ１０１１で、ＥＸＩＦファイルの作成を指示して、ステップＳ１０１２で、メモリカード１４１２への書き込みを指示する。最後に、ステップＳ１０１３で、全ての処理が終了したか否かを判断し、終了するまでステップＳ１００２〜Ｓ１０１３を繰り返す。
【００４３】
以上の様に構成する事によっても、ユーザーはファイル名を見ただけで動画撮影中に撮影された静止画か静止画単独撮影で撮影された静止画かを簡単に判別することが出来る。なお、ファイル名の付け方は前述したものに限定するものでは無い。
【００４４】
（第４の実施形態）
次に、本発明の第４の実施形態について説明する。本実施形態も、動画撮影中に撮影した静止画と静止画単独で撮影した静止画とをユーザーに区別させる方法が前述した第１〜第３の実施形態と異なるだけであり、その他の部分については、第１〜第３の実施形態と同じである。したがって、第１〜第３の実施形態と同一の部分については、図１〜図１０に付した符号と同一の符号を付すなどして詳細な説明を省略する。
【００４５】
図１１は、本実施形態におけるビデオカメラのＬＣＤパネル１６０４の表示例を示す。ユーザーが撮影記録した静止画の再生を行うと、まず、ＬＣＤパネル１６０４にフォルダ画面が表示される。フォルダは、動画撮影記録中に撮影した静止画を格納する動画撮影中フォルダ１１０１と、静止画単独で撮影した静止画を格納する静止画単独撮影フォルダ１１０２とに分かれている。フォルダの区別は、例えばフォルダ表示に付随するフォルダ名で行う。
【００４６】
ユーザーは、再生制御ボタン１６０６を操作して選択枠１１０４を動かす事によってどちらか一方のフォルダを選択する。例えばフォルダ１１０１を選択すると、ＬＣＤパネル１６０４の画面には、動画撮影記録中に撮影記録した静止画の一覧１１０５が表示される。以降の静止画選択動作は、前述した第３の実施形態と同様である。また、本実施形態のビデオカメラの構成は図１と同様である。
【００４７】
図１２は、本実施形態のビデオカメラで記録処理を行う際のＣＰＵ１４０９の動作の一例を説明するフローチャートである。
まず、ステップＳ１２０１で、静止画撮影用のシャッターボタン１６０３が押されたかどうかを検出する。静止画撮影用のシャッターボタンが押されたら、ステップＳ１２０２に進み、前述した様にＥＸＩＦファイルを作成する。
【００４８】
次に、ステップＳ１２０３で、前記シャッター操作による静止画撮影が動画撮影記録中の静止画撮影記録なのか、静止画単独撮影記録なのかを検出する。検出方法は、第１の実施形態で述べた通りである。動画撮影記録中の静止画撮影記録であれば、ステップＳ１２０４に進み、予め設定しておいた前記動画中撮影フォルダに画像データを記録する。一方、静止画単独撮影記録であれば、ステップＳ１２０５に進み、予め設定しておいた前記静止画単独撮影フォルダに画像データを記録する。
【００４９】
図１３に、メモリカード１４１２内に格納されているフォルダの階層の一例を示す。まず、メモリカード１４１２内に静止画全体のフォルダとして"DCIM"という名前のフォルダ１３０１がある。その下位に"100ABCDE"という名前のフォルダ１３０２と"101ABCDE"という名前のフォルダ１３０３がある。これらのフォルダ１３０２、１３０３は、それぞれ動画撮影記録中に撮影記録した静止画が格納される前記動画中撮影フォルダと、静止画単独で撮影記録した静止画が格納される前記静止画単独撮影フォルダに相当する。それぞれのフォルダ１３０２、１３０３の下位には、各静止画ファイル１３０４、１３０５が存在する。実際にビデオカメラのＬＣＤパネル１６０４に表示するフォルダ名は、"100ABCDE"という名前のフォルダ１３０２には"動画中撮影"、"101ABCDE"という名前のフォルダ１３０３には"静止画単独撮影"といった分りやすい名前に関連付けて表示させる。なお、前述した"フォルダ"は、"ディレクトリ"と読み替えても同様である。
【００５０】
以上の様に構成する事によっても、ユーザーはメモリカード１４１２上のフォルダによる分類で動画撮影中に撮影された静止画か静止画単独撮影で撮影された静止画かを簡単に判別することが出来る。
【００５１】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００５２】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５３】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００５４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００５５】
【図１】本発明の第１の実施形態を示し、ビデオカメラの構成の一例を示す図である。
【図２】本発明の第１の実施形態を示し、動画記録中静止画シャッター検出部の構成の一例を示す図である。
【図３】本発明の第１の実施形態を示し、動画トリガ信号、静止画トリガ信号及びＡＮＤゲートの出力信号の関係を示す図である。
【図４】本発明第１のの実施形態を示し、サムネイル画像に付されるマークの一例を示す図である。
【図５】本発明の第１実施形態を示し、ビデオカメラのＬＣＤパネルの表示例を示す図である。
【図６】本発明の第２の実施形態を示し、ビデオカメラのＬＣＤパネルの表示例を示す図である。
【図７】本発明の第２の実施形態を示し、ビデオカメラの構成の一例を示す図である。
【図８】本発明の第３の実施形態を示し、ビデオカメラのＬＣＤパネルの表示例を示す図である。
【図９】本発明の第３の実施形態を示し、ＬＣＤパネルの画面に表示されるファイル名の一例を示す図である。
【図１０】本発明の第３の実施形態を示し、ビデオカメラで記録処理を行う際のＣＰＵの動作の一例を説明するフローチャートである。
【図１１】本発明の第４の実施形態を示し、ビデオカメラのＬＣＤパネルの表示例を示す図である。
【図１２】本発明の第４の実施形態を示し、ビデオカメラで記録処理を行う際のＣＰＵの動作の一例を説明するフローチャートである。
【図１３】本発明の実施形態を示し、メモリカード内に格納されているフォルダの階層の一例を示す図である。
【図１４】従来の技術を示し、ビデオカメラの内部構成の一例を示す図である。
【図１５】従来の技術を示し、動画像撮影を行って記録された動画データと静止画撮影を行って記録された静止画データとの関係を示す図である。
【図１６】従来の技術を示し、ビデオカメラの外観構成の一例を示す図である。
【図１７】従来の技術を示し、静止画データを確認する場合にＬＣＤパネルに表示される内容の一例を示す図である。
【図１８】従来の技術を示し、ＬＣＤパネルに一覧表示されたファイル名のリストの一例を示す図である。
【図１９】従来の技術を示し、一覧表示するファイルのディレクトリーツリーの一例を示す図である。
【符号の説明】
【００５６】
１１６  動画記録中静止画シャッター検出部
２０１  フリップフロップ
２０４  ＡＮＤゲート
５０１〜５０６  サムネイル画像
５０７  選択枠
５０９  本画像
５１０〜５１２  マーク
６０１〜６０６  サムネイル画像
６０７  選択枠
６０９  本画像
６１０  マーク
８０１〜８０６  ファイル名
８０７  選択枠
８０９  本画像
１１０１  動画撮影中フォルダ
１１０２  静止画単独撮影フォルダ
１１０４  選択枠
１１０５  静止画の一覧
１４０８  表示部
１４０９  ＣＰＵ
１４１２  メモリカード
１４１３  静止画エンコード・デコード処理部
１４１４  カード制御部
１６０４  ＬＣＤパネル
【図１】
2006173908.tif 000003
【図２】
2006173908.tif 000004
【図３】
2006173908.tif 000005
【図４】
2006173908.tif 000006
【図５】
2006173908.tif 000007
【図６】
2006173908.tif 000008
【図７】
2006173908.tif 000009
【図８】
2006173908.tif 000010
【図９】
2006173908.tif 000011
【図１０】
2006173908.tif 000012
【図１１】
2006173908.tif 000013
【図１２】
2006173908.tif 000014
【図１３】
2006173908.tif 000015
【図１４】
2006173908.tif 000016
【図１５】
2006173908.tif 000017
【図１６】
2006173908.tif 000018
【図１７】
2006173908.tif 000019
【図１８】
2006173908.tif 000020
【図１９】
2006173908.tif 000021